(57)【要約】【課題】化粧料塗布具を、容器本体の塗布具収容室に収容する化粧料用容器において、塗布具収容室からの化粧料塗布具の取り出しを容易にする。【解決手段】化粧料用容器１Ａが、棒状の把持部１１を有する化粧料塗布具１０を収容する塗布具収容室４と、化粧料Ａを収容する化粧料収容室３とを有する。塗布具収容室４は、化粧料塗布具１０の把持部１１を載置する台座２０Ａを有し、該台座２０Ａにおける化粧料塗布具１０の載置面２１が、台座２０Ａに載置された化粧料塗布具１０の把持部１１の短手方向に傾斜している。【選択図】図１
2015104478.tif 000002
【特許請求の範囲】
【請求項１】
棒状の把持部を有する化粧料塗布具を収容するための塗布具収容室と、化粧料を収容するための化粧料収容室とを有する化粧料用容器であって、塗布具収容室は、化粧料塗布具の把持部を載置する台座を有し、該台座における化粧料塗布具の載置面が、台座に載置された化粧料塗布具の把持部の短手方向に傾斜している化粧料用容器。
【請求項２】
台座の載置面は、塗布具収容室の底面からの高さが、化粧料収容室側で低く、化粧料収容室の反対側で高い傾斜を有する請求項１記載の化粧料用容器。
【請求項３】
台座が複数の載置面を有し、複数の化粧料塗布具を載置可能とする請求項１又は２記載の化粧料用容器。
【請求項４】
台座が塗布具収容室に着脱可能に設けられている請求項１〜３のいずれかに記載の化粧料用容器。
【請求項５】
台座が、把持部の長手方向に離間して形成された一対の載置面を有する請求項１〜４のいずれかに記載の化粧料用容器。
【請求項６】
台座の載置面が複数の段部を有する請求項１〜５のいずれかに記載の化粧料用容器。
【請求項７】
化粧料塗布具の把持部が台座に載置された場合に、化粧料塗布具の塗布体が塗布具収容室の底面から浮いている請求項１〜６のいずれかに記載の化粧料用容器。
【請求項８】
塗布具収容室に収容される化粧料塗布具を備え、該化粧料塗布具の把持部は断面が扁平形状である請求項１〜７のいずれかに記載の化粧料容器。
【請求項９】
請求項１〜８のいずれかに記載の化粧料容器において、化粧料収容室に化粧料が収容され、塗布具収容室に化粧料塗布具が収容されている化粧料製品。
【発明の詳細な説明】
【技術分野】
【０００１】
本発明は、化粧料塗布具の収容室を有する化粧料用容器に関する。
【背景技術】
【０００２】
アイシャドウ、アイブロー、チーク等の化粧料に用いられる化粧料用容器として、化粧料を収容する化粧料収容室と、その化粧料の塗布に使用する化粧料塗布具を収容する塗布具収容室とを有するものが普及している。
このような化粧料用容器は、携帯しやすいように小型化されているので、塗布具収容室は狭くなっている。そのため、化粧料塗布具を塗布具収容室から取り出すことは容易でない。
【０００３】
そこで、塗布具収容室の側壁面に斜面を突設し、化粧料塗布具を塗布具収容室から取り出すときには、この斜面と反対側の塗布具収容室側壁と化粧料塗布具との間に指を入れ、その指で化粧料塗布具を斜面側に押しつけ、化粧料塗布具が斜面を乗り上がるようにすることが提案されている（特許文献１）。
【先行技術文献】
【特許文献】
【０００４】
【特許文献１】特許４４３１１８８号公報
【発明の概要】
【発明が解決しようとする課題】
【０００５】
しかしながら、塗布具収容室の側壁面に斜面を突設しても、塗布具収容室に収容した化粧料塗布具と、塗布具収容室側壁との間に指を入れにくいために、依然として塗布具収容室から化粧料塗布具を取り出すことは容易でない。また、塗布具収容室の底面に載置されている化粧料塗布具を斜面側に引き寄せても、化粧料塗布具が斜面に突っかかり、化粧料塗布具が取り出し難い場合がある。
【０００６】
このような従来技術に対し、本発明が解決しようとする課題は、化粧料塗布具を収容する塗布具収容室を備えた化粧料用容器において、塗布具収容室からの化粧料塗布具の取り出しを容易にすることに関する。
【課題を解決するための手段】
【０００７】
本発明者は、塗布具収容室が、棒状の把持部を有する化粧料塗布具を収容する場合に、塗布具収容室の底面に、化粧料塗布具を載置する台座を設け、台座に載置された化粧料塗布具の把持部の短手方向に台座の載置面を傾斜させると、把持部を台座の載置面で滑らせて引き上げることで容易に化粧料塗布具を収納室から取り出せることを見出し、かかる台座を有する本発明を完成させた。
【０００８】
即ち、本発明は、棒状の把持部を有する化粧料塗布具を収容するための塗布具収容室と、化粧料を収容するための化粧料収容室とを有する化粧料用容器であって、塗布具収容室は、化粧料塗布具の把持部を載置する台座を有し、該台座における化粧料塗布具の載置面が、台座に載置された化粧料塗布具の把持部の短手方向に傾斜している化粧料用容器を提供する。
【発明の効果】
【０００９】
本発明によれば、化粧料塗布具を塗布具収容室に収容する化粧料用容器において、塗布具収容室からの化粧料塗布具の取り出しが容易となる。
【図面の簡単な説明】
【００１０】
【図１】図１は、本発明の一実施例を示す化粧料用容器１Ａの（ａ）斜視図及び（ｂ）断面図である。
【図２】図２は、（ａ）実施例及び（ｂ）従来技術における、化粧料塗布具の取り出し状態を示す、化粧料用容器の断面図である。
【図３】図３は、化粧料用容器の変形態様の断面図である。
【図４】図４は、本発明の別の実施例を示す化粧料用容器１Ｂの斜視図である。
【図５】図５は、本発明の別の実施例を示す化粧料用容器１Ｃの（ａ）斜視図及び（ｂ）断面図である。
【図６】図６は、本発明の別の実施例を示す化粧料用容器１Ｄの斜視図である。
【図７】図７は、本発明の別の実施例を示す化粧料用容器１Ｅの斜視図である。
【図８】図８は、本発明の別の実施例を示す化粧料用容器１Ｆの（ａ）斜視図及び（ｂ）断面図である。
【図９】図９は、本発明の別の実施例を示す化粧料用容器１Ｇの（ａ）斜視図及び（ｂ）断面図である。
【図１０】図１０は、本発明の別の実施例を示す化粧料用容器１Ｈの（ａ）斜視図及び（ｂ）断面図である。
【発明を実施するための形態】
【００１１】
以下、図面を参照しつつ、本発明を具体的に説明する。なお、各図中、同一符号は、同一又は同等の構成要素を表している。
【００１２】
図１は、本発明の一実施例の化粧料用容器１Ａの（ａ）斜視図及び（ｂ）Ｘ−Ｘ断面図である。この化粧料用容器１Ａは、コンパクトケース型の化粧料用容器であって、薄型の容器本体２に、アイシャドウ、アイブロー、チーク等のケーキ状の化粧料Ａを収容する化粧料収容室３と、化粧料Ａの塗布に使用する化粧料塗布具１０を収容する塗布具収容室４を備えている。化粧料用容器１Ａは、化粧料Ａを化粧料収容室３に収容し、化粧料塗布具１０を塗布具収容室４に収容し、化粧料製品となる。
【００１３】
また、容器本体２には、ヒンジで蓋５が接合されている。蓋５に設けられた係着リブ７ａが、容器本体２に設けられた被係止部７ｂと着脱可能に係止することで蓋５が閉じる。化粧料用容器１Ａの使用時における手前側の面にはボタン７が設けられており、ボタン７を塗布具収容室４側に押圧することで係着リブ７ａと被係止部７ｂとの係止状態が解除される。
【００１４】
化粧料塗布具１０は、断面が扁平な直棒状の把持部１１と、把持部の両端部に形成された塗布体１２，１３を有している。ここで、把持部１１の扁平な断面形状としては、矩形、楕円、扁平な円等をあげることができ、アスペクト比（長径と短径の比）が１１：１０以上であることが好ましく、６：５以上がより好ましい。把持部１１の断面形状を扁平とすることにより、化粧料塗布具１０を収容する化粧料用容器の薄型化の要請に応じることができるので好ましい。
【００１５】
化粧料塗布具１０が塗布具収容室４の底面に直接載置されていると、把持部１１を指で摘んで塗布具収容室４から化粧料塗布具１０を取り出すことは容易でないが、この化粧料用容器１Ａの塗布具収容室４には、後述するように、載置面２１が傾斜した台座２０Ａが設けられているので、塗布具収容室４からの化粧料塗布具１０の取り出しが容易となり、この取り出しやすさは把持部１１の断面が扁平な場合に顕著となる。したがって、化粧料塗布具１０の把持部１１の断面が扁平であると本発明の意義が高い。
【００１６】
なお、本発明の化粧料用容器が収容する化粧料塗布具の把持部の断面形状は、扁平に限られず、例えば、真円、正方形、三角形その他の多角形とすることができる。
【００１７】
塗布体１２，１３の形成材料に特に制限はなく、例えば、スポンジ、フロッキー加工した樹脂材料、刷毛等から形成することができる。塗布体１２，１３は、それぞれ異なる材質のものを用いてもよく、また異なる形状や大きさに形成していてもよい。また、塗布体は把持部１１の一端にのみ形成してもよい。
【００１８】
この化粧料用容器１Ａは、化粧料塗布具１０の塗布具収容室４の底面６に、化粧料塗布具１０の把持部１１を載置する台座２０Ａを有している。そのため、化粧料塗布具１０が塗布具収容室４に収納された状態で、把持部１１は塗布具収容室４の底面６に直接載置されておらず、塗布具収容室４の底面６よりも高い位置にある。これにより、塗布具収容室４に収容されている化粧料塗布具１０の取り出し時に、化粧料塗布部１０の把持部１１に指を掛けやすくなる。
【００１９】
また、化粧料塗布具１０が塗布具収容室４に収容された状態で、塗布体１２、１３も塗布具収容室４の底面６から浮いており、底面６に接していないことが好ましい。これにより、化粧料の付着した塗布体１２、１３で塗布具収容室４が汚れることを抑制することができる。
【００２０】
台座２０Ａにおいて、化粧料塗布具１０の載置面２１は、台座２０Ａに載置された化粧料塗布具１０の把持部１１の短手方向に傾斜した面を有している。
【００２１】
即ち、化粧料塗布具１０を台座２０Ａに載置した場合、台座２０Ａの載置面２１は、化粧料塗布具１０の把持部１１の長手方向Ｄ１と平行であり、かつこの載置面２１は、塗布具収容室４の底面６に対して傾斜している。要するに、載置面２１は、化粧料塗布具１０の把持部１１の長手方向Ｄ１には傾斜しておらず、短手方向に傾斜している。
【００２２】
より具体的には、載置面２１は平坦で、その傾斜は、塗布具収容室４の底面６から載置面２１までの高さが、化粧料収容室３側で低く、化粧料収容室３と反対側（ボタン７側）で高い。ここで、化粧料収容室３側の載置面２１の底面６からの高さは、塗布具収容室４の深さの０％以上５０％以下が好ましく、化粧料収容室３と反対側では塗布具収容室４の深さの８０％以上１００％以下が好ましい。
【００２３】
また、この傾斜に関し、塗布具収容室４の底面６と載置面２１とのなす角度θ１（図１（ｂ））は、１０°以上６０°以下であることが好ましく、特に３０°以上５０°以下であることが好ましい。
【００２４】
載置面２１の大きさは、そこに載置する把持部１１の長手方向の長さについて、把持部１１の長さの３０％以上１００％以下が好ましく、特に６０％以上８０％以下が好ましい。ただし、塗布体１２、１３の大きさが把持部１１の断面に比して小さく、台座２０Ａに化粧料塗布具１０を載置した場合に、載置面２１の平面に塗布体１２、１３が接しない場合には、載置面２１の長さは、把持部１１の長さによらず、塗布具収容室４の全長であってもよい。
【００２５】
化粧料塗布具１０を塗布具収容室４から取り出すときには、図２（ａ）に示すように、化粧料塗布具１０の把持部１１を指で軽く押さえ、次いで、把持部１１を載置面２１上で滑らせるように矢印方向に引き上げる。これにより、容易に化粧料塗布具１０を塗布具収容室４から取り出すことができる。また、この取り出し方法によれば、塗布体１２、１３に手が触れないので、化粧料塗布具１０の取り出しにより手が不用に汚れることを防止できる。
【００２６】
これに対し、図２（ｂ）に示すように、塗布具収容室４の壁面に斜面２３が突設されていても、化粧料塗布具１０が塗布具収容室４の底面６に直接載置されている場合には、指で矢印方向に把持部１１を引き寄せても、把持部１１が斜面２３に突き当たり、そこに引っかかってしまい、化粧料塗布具１０の取り出しが難しくなる。
【００２７】
また、図２（ａ）に示すように、台座２０Ａは、化粧料塗布具１０の把持部１１を載置する傾斜した載置面２１に加えて、塗布具収容室４内の化粧料収容室３側の壁面から、塗布具収容室４の中央部側に突出した斜面２２を有する。この斜面２２は急峻であり、ここには化粧料塗布具１０の把持部１１を載置することはできない。しかしながら、この斜面２２があることにより、塗布具収容室４から化粧料塗布具１０を取り出すときに指を入れる位置での台座２０Ａの開き角θ２が、斜面２２が無い場合（図３）に比して大きくなる。これにより、塗布具収容室４からの化粧料塗布具１０の取り出しがいっそう容易となる。ここで、開き角θ２は、傾斜している載置面２１と、該載置面２１の下側端部が当接する斜面２２とで挟まれる角度である。
【００２８】
一方、化粧料塗布具１０の把持部１１の断面が十分大きい場合には、図３に示す台座２０Ａ’のように、塗布具収容室４の化粧料収容室３側の側壁で、斜面の形成を省略してもよい。
【００２９】
なお、台座２０Ａの形成材料としては、ポリエチレンテレフタレート、ポリスチレン、ポリエチレン、ポリプロピレン、ＡＳ樹脂、ＡＢＳ樹脂等の合成樹脂が挙げられる。
【００３０】
本発明は種々の態様をとることができる。
例えば、上述の化粧料用容器１Ａにおいて、台座２０Ａは、容器本体２に一体成形で設けてもよく、また塗布具収容室４の底面６に固着してもよく、あるいは図４に示す化粧料用容器１Ｂのように、容器本体２に対して台座２０Ｂを着脱可能としてもよい。着脱可能とするには、例えば、一体成形等でプレート２４上に台座２０Ｂを設け、塗布具収容室４にプレート２４を嵌入して載置するだけで、台座２０Ｂが塗布具収容室４内の所定の位置に配置されるようにすることができる。この場合、プレート２４は、塗布具収容室４の底面６と略同じ形状および大きさにすることが好ましい。台座２０Ｂを備えたプレート２４は、外れ難くするため、塗布具収容室４の底面に対して粘着剤等で仮止めしてもよい。
【００３１】
このように台座２０Ｂを着脱可能とすると、容器本体２に組み合わせる化粧料塗布具１０の寸法を変更する場合に、容器本体２の寸法の変更が不要となり、台座２０Ｂの寸法の変更だけで足りるので好ましい。また、台座２０Ｂを着脱可能とすることは、塗布具収容室４及び台座２０Ｂの洗浄をしたり、台座２０Ｂの色を変更して化粧料用容器１Ｂの外観や印象を変えることが可能となる点でも好ましい。色を変更する場合、台座２０Ｂの色を、化粧料塗布具１０又はその把持部１１の色と異ならせることにより、化粧料塗布具１０又は把持部１１の視認性が向上する。また、使用者の好みに応じて、台座２０Ｂを取り外して使用することも可能となる。
【００３２】
図５の化粧料用容器１Ｃは、容器本体２が有する塗布具収容室４に、複数本の化粧料塗布具１０を並列して収容できるように、複数の載置面２１ａ、２１ｂを設けたものである。載置面２１ａと載置面２１ｂとは、塗布具収容室４において化粧料塗布具１０又は把持部１１の短手方向に隣接されている。この場合、台座２０Ｃの傾斜した各載置面２１ａ、２１ｂは、個々の化粧料塗布具に対して形成することが好ましい。複数の載置面２１ａ、２１ｂの傾斜角度は、同じでもよく異なってもよい。より具体的には、例えば、載置面２１ａ、２１ｂの傾斜角度を異ならせ、載置面の深さ（載置面の上端部と下端部の、塗布具収容室４の深さ方向の距離）を、載置面の傾斜の上端部が化粧料収容室３と反対側の塗布具収容室４内の壁面に当接している載置面２１ａでは、塗布具収容室４の深さの８０％以上１００％以下とし、載置面の傾斜の上端部が塗布具収容室４の中央部にある載置面２１ｂでは塗布具収容室４の深さの５０％以上１００以下とすることができる。また、各載置面２１ａ、２１ｂは同じ傾斜角度であるが、異なる高さとしてもよい。各載置面２１ａ、２１ｂの把持部１１の長手方向の長さを異ならせてもよい。
【００３３】
図６の化粧料用容器１Ｄは、化粧料塗布具１０の把持部１１を台座２０Ｄに載置するにあたり、台座２０Ｄが把持部１１の両端部で化粧料塗布具１０を支持するように、台座２０Ｄが、一対の傾斜した載置面２１ａ、２１ｂを把持部１１の長手方向に離間して有するようにしたものである。これにより、離間した載置面２１ａ、２１ｂの間では、塗布具収容室４の底面６と把持部１１との間に空間が存在するので、把持部１１を指で摘むときに、この空間内に指を挿入することができ、把持部１１を摘みやすくなる。
【００３４】
図７の化粧料用容器１Ｅは、図１の化粧料用容器１Ａにおいて、載置面２１に抉り２５を形成した台座２０Ｅを設けたものである。この抉り２５は、平面視半円状で、最大幅Ｗ（即ち、台座２０に載置する化粧料塗布具１０の把持部１１の長手方向についての抉り２５の最大長）は１０ｍｍ以上が好ましく、１５ｍｍ以上がより好ましい。抉り２５の深さは、載置面２１の上端部の底面６からの高さの２０％以上１００％以下とすることが好ましい。また、図４に示した別体とする場合には、プレート２４の上面（底面６に相当）からの載置面２１の上端部の高さに対して２０％以上１００％以下とすることが好ましい。これにより、指先を把持部１１の中央部から下方に挿入し易くなり、化粧料塗布具１０の取り出しが容易となる。
【００３５】
図８の化粧料用容器１Ｆは、図１の化粧料用容器１Ａにおいて、載置面２１に複数の段部２６を有する台座２０Ｆを設けたものである。この場合、個々の段部の高さＬ１と奥行きＬ２は、複数の段部２６を有する載置面２１で把持部１１を滑らせて引き上げることを可能とする点から、高さＬ１を２ｍｍ以下、特に０．５ｍｍ以上１．５ｍｍ以下とすることが好ましい。また、奥行きＬ２を３ｍｍ以下、特に０．５ｍｍ以上２ｍｍ以下とすることが好ましい。適度に細かい段部を設けることにより、載置面２１で把持部１１を滑らせて引き上げるときのずり落ちを防止することができる。
【００３６】
図９の化粧用容器１Ｇは、図５の化粧料用容器１Ｃにおいて、載置面２１ａ、２１ｂをそれぞれ下に凹に湾曲させた台座２０Ｇを設けたものである。この台座２０Ｇによれば、図９（ｂ）に示すように、把持部１１を引き上げていくと、湾曲している載置面２１ａ、２１ｂに沿って把持部１１がスムーズに移動し、ボタン７側（化粧料用容器１Ｃの使用時における手前側）の載置面２１ａ、２１ｂの上側端部において把持部１１を摘み上げやすくなる。特に把持部１１の断面が扁平であると、引き上げ方向に上向きになるので、把持部１１を摘み上げやすくなる。
図９の化粧用容器１Ｇは、更に、化粧料収容室３側の載置面２１ｂよりも、化粧料収容室３から離れた方（ボタン７に近い方）の載置面２１ａにおいて、湾曲を大きく深くしているので、２つの化粧料塗布具１０が並置されていても、各化粧料塗布具１０間に指を入れ易くなり、化粧料収容室３側の載置面２１ｂに置かれた化粧料塗布具１０を引き上げる際に、ボタン７に近い方の載置面２１ａの化粧料塗布具１０に引っかかることを防ぐことができる。
【００３７】
図１０の化粧用容器１Ｈは、図１の化粧料用容器１Ａにおいて、載置面２１を上に凸に湾曲させた台座２０Ｈを設けたものである。これにより、図１０（ｂ）に示すように、載置面２１上で把持部１１の断面の向きを変えやすくなることで、把持部１１の引き上げ直後に把持部１１の扁平な断面が引き上げ方向に上向きになり、把持部１１を摘み上げやすくなる。
【００３８】
なお、本発明は上述の実施例に限定されることなく種々の変更が可能であり、台座は、化粧料塗布具１０の把持部１１を斜面で載置できる種々の形状をとることができる。例えば、図４においてはプレート２４は用いずに塗布具収容室４の底面６に係止用凹部等を設け、台座のみを着脱可能としてもよい。
また、上述した種々の態様は、適宜組み合わせることができる。例えば、図５の形態において、手前側（ボタン７側）の載置面２１ａに、図７の抉り２５を設けてもよい。また、図５の形態において、台座２０Ｃを図４のように着脱可能としてもよい。
【００３９】
また、蓋５の開閉は、ボタン７により係止状態を解除する形態に限らず、例えば容器本体２の切欠き部に指をいれて開ける形態や、容器本体２と蓋５を磁石で係止可能とする形態などボタン７を用いないタイプとしてもよい。また、化粧料用容器、容器本体２にヒンジで蓋５を開閉するよう固定する形態に限らず、引き出しタイプの蓋を設けてもよい。また、化粧料用容器はコンパクトケース型に限らない。例えば、ジャー容器の中蓋にスパチュラ等の化粧料塗布具の収納室を設け、その収納室に本発明が使用する台座を設けてもよい。
【符号の説明】
【００４０】
１Ａ、１Ｂ、１Ｃ、１Ｄ、１Ｅ、１Ｆ、１Ｇ、１Ｈ    化粧料用容器
２    容器本体
３    化粧料収容室
４    塗布具収容室
５    蓋
６    底面
７    ボタン
１０    化粧料塗布具
１１    把持部
１２    塗布体
１３    塗布体
２０Ａ、２０Ｂ、２０Ｃ、２０Ｄ、２０Ｅ、２０Ｆ、２０Ｇ、２０Ｈ    台座
２１    載置面
２２    斜面
２３    斜面
２４    プレート
２５    抉り
２６    段部
Ａ    化粧料
Ｄ１  把持部の長手方向
【図１】
2015104478.tif 000003
【図２】
2015104478.tif 000004
【図３】
2015104478.tif 000005
【図４】
2015104478.tif 000006
【図５】
2015104478.tif 000007
【図６】
2015104478.tif 000008
【図７】
2015104478.tif 000009
【図８】
2015104478.tif 000010
【図９】
2015104478.tif 000011
【図１０】
2015104478.tif 000012